(57)【特許請求の範囲】
【請求項１】
来訪者が居住者を呼び出すために共同玄関に設置された集合玄関機と、前記集合玄関機からの呼び出しに居住者が応答するために各住戸に設置された居室親機と、管理人が居住者等と通話するために管理室に設置された管理室親機と、前記集合玄関機と前記居室親機と前記管理室親機との間の通信を制御する制御装置とを有し、前記居室親機と前記制御装置とが、前記制御装置から複数の分岐装置を介した送り配線により接続された集合住宅インターホンシステムにおいて、
前記分岐装置は、システム保守等の際に作業者が他の作業者と通話するための送受話装置を接続する通信端子と、前記送受話装置の接続を検知して前記制御装置に通知する接続検出部とを有し、
前記制御装置は、前記送受話器接続の通知を受けたら予め設定された管理室親機等の所定の呼出先に対して呼出信号を送出すると共に、呼出先の応答操作を受けて通話路を形成して前記送受話装置と呼出先との間で通話を可能とする通話制御部を備えたことを特徴とする集合住宅インターホンシステム。
【請求項２】
来訪者が居住者を呼び出すために共同玄関に設置された集合玄関機と、前記集合玄関機からの呼び出しに居住者が応答するために各住戸に設置された居室親機と、管理人が居住者等と通話するために管理室に設置された管理室親機と、前記集合玄関機と前記居室親機と前記管理室親機との間の通信を制御する制御装置とを有し、前記居室親機と前記制御装置とが、前記制御装置から複数の分岐装置を介した送り配線により接続された集合住宅インターホンシステムにおいて、
前記分岐装置は、システムの保守等の際に作業者が作業者同士の通話に使用する無線型の送受話装置と通信を行う無線通信部を備える一方、
前記制御装置は、前記無線通信部を介して前記送受話装置と通信を行う通話制御部を有し、
前記通話制御部は、前記送受話装置から発信された呼出信号を前記無線通信部が受信したら、管理室親機等の所定の呼出先に対して呼出信号を送出すると共に、呼出先の応答操作を受けて通話路を形成して前記送受話装置と呼出先との間で通話を可能とすることを特徴とする集合住宅インターホンシステム。
【請求項３】
前記無線型の送受話装置と通信するための送受信アンテナを、前記分岐装置本体と独立させた無線アダプタに設けたことを特徴とする請求項２記載の集合住宅インターホンシステム。
【請求項４】
前記送受話装置はカメラを備える一方、呼出先の管理室親機等の機器は前記カメラの撮像映像を表示する表示部を備え、
前記送受話装置は、通話時に前記カメラの撮像映像を送信する映像制御部を有し、呼出先の機器は通話時に前記撮像映像を前記表示部に表示することを特徴とする請求項１乃至３の何れかに記載の集合住宅インターホンシステム。
【請求項５】
前記送受話装置は、映像を表示する表示部と、通話先から通話中に伝送された映像を前記表示部に表示させる表示制御部を有する一方、呼出先の管理室親機等の機器にはカメラ等の映像送信手段が設けられて成ることを特徴とする請求項１乃至４の何れかに記載の集合住宅インターホンシステム。
【発明の詳細な説明】
【技術分野】
【０００１】
本発明は集合住宅インターホンシステムに関し、詳しくはメンテナンス作業をスムーズに行うことができる集合住宅インターホンシステムに関する。
【背景技術】
【０００２】
多数の居室親機を備えた集合住宅インターホンシステムは、分岐器を介した送り配線により複数の居室親機が共通する伝送線に接続されている。そして、管理人が居住者と通話を行うための管理室親機や、呼出制御や通話路形成制御を行う制御装置等を備え、来訪者が共同玄関に設置された集合玄関機から訪問先の住戸を選択し、呼出先の居室親機が応答操作されたら通話することができるよう構成されている。
このような集合住宅インターホンシステムで使用される分岐器は、例えば特許文献１に記載されているような構成となっている。
【先行技術文献】
【特許文献】
【０００３】
【特許文献１】特開２００２−２１８０７３号公報
【発明の概要】
【発明が解決しようとする課題】
【０００４】
集合住宅インターホンシステムを保守・点検する際、特に通信路の確認を行う場合は居室親機側と管理室親機側等離れた場所に夫々作業者を配置して行われる。そのため、作業者同士がトランシーバや携帯電話などの通話手段を使用して互いに連絡を採って作業を進めている。また、作業の監督者が作業指示等を行う場合は、通話手段を使用しても指示が伝わり難いことが多く、その場合は作業現場まで出かけて対応していた。このように、点検やメンテナンスは容易ではなかった。特に、火災感知器等のセキュリティ機器が接続されたシステムでは点検は頻繁に行われるため、そのたびに通話手段を用いたこのような点検が行われていたため、作業の簡易化が望まれていた。
【０００５】
そこで、本発明はこのような問題点に鑑み、インターホンの通話機能をこのような保守や点検の際にも利用可能とすることで、携帯電話等を別途使用することなく作業者間で通話することができ、更に現場の映像等も伝送可能とする集合住宅用インターホンシステムを提供することを目的としている。
【課題を解決するための手段】
【０００６】
上記課題を解決する為に、請求項１の発明は、来訪者が居住者を呼び出すために共同玄関に設置された集合玄関機と、集合玄関機からの呼び出しに居住者が応答するために各住戸に設置された居室親機と、管理人が居住者等と通話するために管理室に設置された管理室親機と、集合玄関機と居室親機と管理室親機との間の通信を制御する制御装置とを有し、居室親機と制御装置とが、制御装置から分岐装置を介した送り配線により接続された集合住宅インターホンシステムにおいて、分岐装置は、システム保守等の際に作業者が他の作業者と通話するための送受話装置を接続する通信端子と、送受話装置の接続を検知して制御装置に通知する接続検出部とを有し、制御装置は、送受話器接続の通知を受けたら予め設定された管理室親機等の所定の呼出先に対して呼出信号を送出すると共に、呼出先の応答操作を受けて通話路を形成して送受話装置と呼出先との間で通話を可能とする通話制御部を備えたことを特徴とする。
この構成によれば、送受話装置を分岐装置に接続することで、インターホンを構成する通話機器のうち特定の通話機器と通話することができる。そのため、作業者同士で通話するためにトランシーバや携帯電話を使用する必要がない。また、接続するだけで呼出操作することなく通話路が形成されるので、作業者の負担を軽減できる。
【０００７】
請求項２の発明は、来訪者が居住者を呼び出すために共同玄関に設置された集合玄関機と、集合玄関機からの呼び出しに居住者が応答するために各住戸に設置された居室親機と、管理人が居住者等と通話するために管理室に設置された管理室親機と、集合玄関機と居室親機と管理室親機との間の通信を制御する制御装置とを有し、居室親機と制御装置とが、制御装置から複数の分岐装置を介した送り配線により接続された集合住宅インターホンシステムにおいて、分岐装置は、システムの保守等の際に作業者が作業者同士の通話に使用する無線型の送受話装置と通信を行う無線通信部を備える一方、制御装置は、無線通信部を介して送受話装置と通信を行う通話制御部を有し、通話制御部は、送受話装置から発信された呼出信号を無線通信部が受信したら、管理室親機等の所定の呼出先に対して呼出信号を送出すると共に、呼出先の応答操作を受けて通話路を形成して送受話装置と呼出先との間で通話を可能とすることを特徴とする。
この構成によれば、分岐装置に送受話装置と無線通信するための無線アダプタを設けることで、インターホンを構成する通話機器のうち特定の通話機器と無線式の送受話装置との間で通話することができる。そのため、作業者同士で通話するためにトランシーバや携帯電話を使用する必要がない。しかも、無線により通話できるため、作業者は動き易く作業し易い。
【０００８】
請求項３の発明は、請求項２に記載の構成において、無線型の送受話装置と通信するための送受信アンテナを、分岐装置本体と独立させた無線アダプタに設けたことを特徴とする。
この構成によれば、送受信アンテナを分岐装置本体と独立して設置でき、分岐装置の設置場所に送受信アンテナの設置場所が左右されないので、作業者が使用する送受話装置の近くに送受信アンテナを設置することができ、比較的弱い電波を使用しても良好な通話が可能となる。
【０００９】
請求項４の発明は、請求項１乃至３の何れかに記載の構成において、送受話装置はカメラを備える一方、呼出先の管理室親機等の機器はカメラの撮像映像を表示する表示部を備え、送受話装置は、通話時にカメラの撮像映像を送信する映像制御部を有し、呼出先の機器は通話時に撮像映像を表示部に表示することを特徴とする。
この構成によれば、通話中に作業現場の映像を通話先に送信することができる。そのため、現場まで出かけることなく管理室等から映像を見ながら現場作業員に対して作業指示を出すことができ、作業効率を上げることができる。
【００１０】
請求項５の発明は、請求項１乃至４の何れかに記載の構成において、送受話装置は、映像を表示する表示部と、通話先から通話中に伝送された映像を表示部に表示させる表示制御部を有する一方、呼出先の管理室親機等の機器にはカメラ等の映像送信手段が設けられて成ることを特徴とする。
この構成によれば、通話先から現場の作業者に対して映像を送信することができる。そのため、例えば作業マニュアルの撮像映像を送信すれば、口頭で説明する必要がないし、作業者も間違えにくい。更に図を交えて説明でき、作業効率を上げることができる。
【発明の効果】
【００１１】
本発明によれば、送受話装置を集合住宅インターホンシステムの分岐装置に接続することで、インターホンを構成する通話機器のうち特定の通話機器と通話することができる。そのため、作業者同士で通話するためにトランシーバや携帯電話を使用する必要がない。
また、送受話装置にカメラを組み込むことで、現場まで出かけることなく管理室等から映像を見ながら現場作業員に対して作業指示を出すことができ、作業効率を上げることができる。
【図面の簡単な説明】
【００１２】
【図１】本発明に係る集合住宅インターホンシステムの一例を示す構成図である。
【図２】図１の分岐装置のブロック図である。
【図３】図１の制御装置のブロック図である。
【図４】伝送線上のパケットデータのタイミング図である。
【図５】本発明に係る集合住宅インターホンシステムの他の例を示す構成図である。
【図６】図５の分岐装置のブロック図である。
【図７】集合住宅インターホンシステムの他の例を示す送受話装置の説明図である。
【発明を実施するための形態】
【００１３】
以下、本発明を具体化した実施の形態を、図面に基づいて詳細に説明する。図１は本発明に係る集合住宅インターホンシステムの一例を示す構成図であり、１は来訪者が居住者を呼び出すために共同玄関に設置される集合玄関機、２は集合玄関機１からの呼び出しに居住者が応答するために各住戸に設置される居室親機、３は管理人が居住者等と通話するために管理室に設置される管理室親機、４は集合玄関機１と居室親機２と管理室親機３との間の通信を制御する制御装置、５は信号を分岐する分岐装置、６は点検やメンテナンス等で作業者が他の作業者と通話するために携行する送受話装置、８は送受話装置６を接続する差込端子８ａを有する端子装置である。制御装置４と各分岐装置５，５，・・とは幹線Ｌ１の送り配線により接続され、集合玄関機１、居室親機２、管理室親機３は分岐装置５に伝送線Ｌ２を介して接続されている。
【００１４】
集合玄関機１は、来訪者が訪問先の住戸を選択して呼び出しを行うための操作部１ａ、通話するためのマイク１ｂ及びスピーカ１ｃ、来訪者を撮像するためのカメラ１ｄ等を備えている。
【００１５】
居室親機２及び管理室親機３は、通話するためのハンドセット２ａ，３ａ、集合玄関機１のカメラ１ｄの撮像映像の表示や各種情報を表示する表示部２ｂ，３ｂ、タッチパネルや操作ボタンから成る操作部２ｃ，３ｃ等を備えている。
【００１６】
図２は分岐装置５のブロック図を示している。図２に示すように、分岐装置５は集合玄関機１、居室親機２、管理室親機３等を幹線Ｌ１から分岐して接続するための分岐処理部１１、送受話装置６の接続を検出して接続信号を制御装置４に送出させる接続検出部１３、送受話装置６から伝送される通話信号や映像信号を所定のデータ信号に変更する処理を行うと共に、幹線Ｌ１や伝送線Ｌ２を介してデータ信号化されて伝送されてきた通話信号を送受話装置６で出力させるために所定の処理を行う信号処理部１４等を備えている。
この分岐装置５は各フロアのＥＰＳ内等天井裏や壁面内に設置され、差込端子８ａを備えた端子装置８のみ住戸のあるフロアの廊下に設置される。
【００１７】
図３は制御装置４のブロック図を示している。制御装置４は図３に示すように、分岐装置５から送受話装置６の接続信号を受けた場合に、呼出信号を送信する呼出先を記憶する呼出先記憶部２０、集合玄関機１や管理室親機３等から特定の呼出先を呼び出す呼出信号を受けて呼出先の居室親機２等に呼出信号を送信し、呼出先の応答操作を受けて通話路を形成したり、分岐装置５から送受話装置６の接続信号を受けて呼出先記憶部２０に記憶されている呼出先に呼出信号を送信するＣＰＵ２１、幹線Ｌ１を介して集合玄関機１、居室親機２、管理室親機３、送受話装置６と通信する制御装置通信部２２等を備えている。
【００１８】
送受話装置６は図２に示すように、作業者の頭部に装着されるヘッドセットとして構成され、分岐装置５の差込端子８ａに接続するプラグ６ａを有し、通話のためのマイク６ｂ及びスピーカ（イヤホン）６ｃ、メンテナンス対象を撮像するためのカメラ７を備えている。ヘッドセットにすることで、手を塞ぐこと無く保守・点検作業を可能としている。
【００１９】
このように構成された集合住宅インターホンシステムは次のように動作する。但し、集合玄関機１からの居住者を呼び出す呼出操作、呼び出しを受けた居室親機２からの応答操作等は従来の集合住宅インターホンシステムと同様であるため説明を省略し、ここでは送受話装置６を端子装置８に接続した場合の動作を中心に説明する。
端子装置８の差込端子８ａに送受話装置６のプラグ６ａが挿し込まれると、分岐装置５の接続検出部１３が送受話装置６の接続を検出し、信号処理部１４に接続信号を生成させる。生成された接続信号は制御装置４に対して出力され、通話路、映像路の確保を要求する。
【００２０】
制御装置４は、通話路、映像路の確保を行うと共に、予め制御装置４に設定してあった接続先に呼出信号を送信する。具体的に、幹線Ｌ１、伝送線Ｌ２には、図４に示すようなパケットデータが周期的に伝送されており、接続信号を受けた制御装置４のＣＰＵ２１は、インターホン保守のためのパケットＭを確保し、送受話装置６による通話を可能とする。
【００２１】
ここでは、接続信号を受けて呼出先に設定された通話機器を管理室親機３として説明する。管理室親機３は、呼出信号を受けると呼出音を報音し、差込端子８ａの番号と送受話装置６に組み付けられているカメラ７が撮像した映像を表示部３ｂに表示する。分岐装置５から伝送される接続信号には差込端子８ａのＩＤ情報が含まれており、制御装置４のＣＰＵ２１がこの情報を読み取り、呼出先に送信する。
【００２２】
この呼び出しを受けて、管理室にいる作業者が管理室親機３のハンドセット３ａを持ち上げると通話路が形成され、送受話装置６を装着した作業者と管理室の作業者の間で通話が可能となる。この結果、管理室の作業者は現場の映像を見ながら現場の作業者と通話することができる。この通話状態は、送受話装置６側でプラグ６ａを抜くか、管理室親機３でハンドセット３ａを下ろすまで継続され、通話路が遮断されると映像路も遮断される。
【００２３】
このように、送受話装置６を集合住宅インターホンシステムの分岐装置５に接続することで、インターホンを構成する通話機器のうち特定の通話機器と通話することができる。そのため、作業者同士で通話するためにトランシーバや携帯電話を使用する必要がない。また、接続するだけで呼出操作することなく通話路が形成されるので、作業者の負担を軽減できる。
更に、通話中に作業現場の映像を通話先に送信することができるため、現場まで出かけることなく管理室等から映像を見ながら現場作業員に対して作業指示を出すことができ、作業効率を上げることができる。
【００２４】
図５は、本発明に係る集合住宅インターホンシステムの他の例を示している。上記図１の形態とは、送受話装置６０と分岐装置５０とが無線により通信する点が大きく異なっている。その他の構成は上記図１と同様である。以下、上記図１の形態との相違点を説明する。
【００２５】
図６は分岐装置５０のブロック図を示している。この図６に示すように、集合玄関機１、居室親機２、管理室親機３等を幹線Ｌ１から分岐して接続するための分岐処理部５１、送受話装置６０から送信される通話信号や映像信号を幹線Ｌ１や伝送線Ｌ２を介して伝送可能な信号に変換すると共に、幹線Ｌ１や伝送線Ｌ２を介して伝送されてきた通話信号を送受話装置６０で送信するために所定の処理を行う信号処理部５４に加えて、送受話装置６０と無線通信する無線通信部５３を備えている。
但し、図５に示すように、分岐装置５０は分岐装置本体５０ａと無線アダプタ８０とに分離されて形成され、無線通信部５３はこの分離された無線アダプタ８０に組み込まれている。
【００２６】
無線アダプタ８０は、送受話装置６０と無線通信するアンテナ８０ａを有し、分岐装置本体５０ａに通信線８０ｂを介して接続されている。分岐装置５０は各フロアのＥＰＳ内等天井裏や壁面内に設置され、無線アダプタ８０は分岐装置５０の近くであって住戸のあるフロアの廊下等送受話装置６０と良好な通信を行うことができる場所に設置されている。
【００２７】
送受話装置６０は、図６に示すように、通話のためのマイク６ｂ及びスピーカ６ｃ、カメラ７に加え、無線アダプタ８０と無線通信するための無線送受信部６ｄを備えている。この無線送受信部６ｄと無線アダプタ８０の間で実施される無線通信としては、例えばブルートゥース（Ｂｌｕｅｔｏｏｔｈ（登録商標））による近距離無線通信が実施される。尚。この通信形態はジグビー（ＺｉｇＢｅｅ（登録商標））を使用することもできる。
【００２８】
尚、制御装置４０の構成は上記図３のブロック図と同様であるが、ＣＰＵ２１は集合玄関機１や管理室親機３等から呼出信号を受けて呼出先の居室親機２等に呼出信号を送信し、応答操作を受けて通話路を形成する制御に加えて、無線アダプタ８０を介して送受話装置６０と通信を行い、送受話装置６０から発信された呼出信号を近くの無線アダプタ８０が受信したら、所定の呼出先に対して呼出信号を送信する。
【００２９】
この送受話装置６０による通話は次のように行われる。住戸のあるフロアの廊下に設置されている無線アダプタ８０付近で、送受話装置６０の図示しない通話ボタンを押下操作すると、無線送受信部６ｄから呼出信号が無線発信される。発信された呼出信号は無線アダプタ８０の無線通信部５３で受信され、制御装置４０に対して伝送され、通話路、映像路の確保が要求される。
【００３０】
呼出信号を受けた制御装置４０は、通話路、映像路の確保を行うと共に、呼び出し先に設定されている管理室親機３に呼出信号を送信する。管理室親機３は、呼出信号を受けて呼出音を報音すると共に、表示部３ｂに無線アダプタ８０の番号と、送受話装置６０のカメラ７が撮像した映像を表示する。この呼び出しを受けて管理室親機３のハンドセット３ａが取り上げられると通話路が形成され通話が可能となる。その後、送受話装置６０の通話ボタンが再操作されるか、管理室親機３でハンドセット３ａが下ろされると、終話される。
【００３１】
このように、分岐装置５０に送受話装置６０と無線通信するための無線アダプタ８０を設けることで、インターホンを構成する通話機器のうち特定の通話機器と無線式の送受話装置６０との間で通話することができる。そのため、作業者同士で通話するためにトランシーバや携帯電話を使用する必要がない。しかも、無線により通話できるため、作業者は動き易く作業し易い。
また、分岐装置本体５０ａと無線アダプタ８０は分離されているため、アンテナ８０ａを分岐装置本体５０ａと独立して設置でき、分岐装置本体５０ａの設置場所にアンテナ８０ａの設置場所が左右されない。そのため、作業者が使用する送受話装置６０の近くにアンテナ８０ａを設置することができ、比較的弱い電波を使用しても良好な通話が可能となる。
【００３２】
図７は、本発明に係る集合住宅インターホンシステムの更に他の例を示し、送受話装置６１の構成のみ示している。他の構成要素は例えば上記図１と同様である。
図７に示すように、送受話装置６１は通話するためのヘッドセット６２と画像や映像を表示するための表示部６３ａを有する表示器６３とを備えている。但し、この送受話装置６１と通話路が形成される例えば管理室親機３には、映像を送信するためのカメラ或いは画像情報を読み取るスキャナ等の映像送信手段が接続される。
【００３３】
表示器６３は、分岐装置５と通信するための表示器通信部６３ａ、ヘッドセットとの通信、表示部６３ａの表示制御に加え、表示器６３を制御する表示器制御部６３ｂ、ヘッドセット６２のプラグ６ａを接続する差込端子６３ｃ、分岐装置５の端子装置８に接続するためのプラグ６３ｄ等を備えている。
送受話装置６１にこのように表示器６３を設けることで、通話路を形成した機器から伝送された画像情報や映像情報を表示器６３に表示させながら通話することができ、例えば作業マニュアルの撮像映像を送信すれば、口頭で説明する必要がないし、現場の作業者も間違え難い。更に図を交えて説明でき、作業効率を上げることができる。
【００３４】
尚、上記実施形態では、送受話装置６，６０，６１の呼出先を管理室親機３として説明したが、呼出先は集合玄関機１であっても良いし、居室親機２の何れか１台としても良い。また、送受話装置６１に表示器６３を設けた図７の構成では有線式として説明したが、表示器６３に無線通信機能を設けて図５に示す様な無線式にしても良い。
【符号の説明】
【００３５】
１・・集合玄関機、２・・居室親機，２ｂ・・表示部、３・・管理室親機、３ｂ・・表示部、４・・制御装置、５・・分岐装置、６・・送受話装置、６ｄ・・無線送受信部、７・・カメラ、８・・端子装置、８ａ・・差込端子（通信端子）、１３・・接続検出部、２０・・呼出先記憶部、２１・・ＣＰＵ（通話制御部）、５０・・分岐装置、５０ａ・・分岐装置本体、６０，６１・・送受話装置、６２・・ヘッドセット、６３・・表示器、６３ａ・・表示部、６３ｂ・・表示器制御部（表示制御部）、８０・・無線アダプタ、８０ａ・・アンテナ（送受信アンテナ）、８０ｂ・・通信線。
【図１】
0005385244.tif 000002
【図２】
0005385244.tif 000003
【図３】
0005385244.tif 000004
【図４】
0005385244.tif 000005
【図５】
0005385244.tif 000006
【図６】
0005385244.tif 000007
【図７】
0005385244.tif 000008